(57)【要約】【課題】簡易な構成でありながら、物品収容部を塞ぐ座部が不用意に外れてしまうのを抑制することが可能となる椅子を提供する。【解決手段】椅子は、上方に向かって開口する物品収容部を有する下部構造体２と、下部構造体２上に着脱可能に設けられ、物品収容部の開口部を閉塞するとともに、上面に着座面を有した座部３と、下部構造体２に支持され、座部３の後方から上方に向かって立ち上がる背凭れ部と、座部３に設けられ、前方を向く前向面５５を有した座部側部材５と、下部構造体２において前向面５５よりも前方に設けられて前向面５５に対向する後向面６５を有した下部構造体側部材６と、座部３及び背凭れ部の少なくとも一方に設けられ、下部構造体２に対して座部３を前方に押圧する押圧力Ｆ１を発生するクッション部と、を備える。【選択図】図３
2020065876.tif 000002
【特許請求の範囲】
【請求項１】
設置面上に載置されるとともに、上方に向けて開口する物品収容部を有する下部構造体と、
前記下部構造体上に着脱可能に設けられ、前記下部構造体への装着時に前記物品収容部の開口部を閉塞するとともに、上面が着座面とされた座部と、
前記下部構造体に支持され、前記座部の後方から上方に向かって立ち上がる背凭れ部と、
前記座部に設けられ、前方を向く前向面を有した座部側位置決め部と、
前記下部構造体において前記前向面よりも前方に設けられて前記前向面に対向する後向面を有した下部構造体側位置決め部と、
前記座部及び前記背凭れ部の少なくとも一方に設けられ、前記下部構造体に対して前記座部を前方に押圧する押圧力を発生させるクッション部と、
を備える椅子。
【請求項２】
前記座部側位置決め部は、前記座部の下面で開口する凹部を有し、前記前向面は前記凹部の後端部に形成され、
前記下部構造体側位置決め部は、前記下部構造体から上方に突出して前記凹部内に挿入される凸部を有し、前記後向面は、前記凸部の後端に形成されている
請求項１に記載の椅子。
【請求項３】
前記下部構造体側位置決め部は、
前記凸部の前端と前記後向面との間に形成され、上方に湾曲して突出する上部湾曲面を備える
請求項２に記載の椅子。
【請求項４】
前記座部側位置決め部は、前記座部の下面から下方に突出する凸部を有し、前記前向面は前記凸部の前端に形成され、
前記下部構造体側位置決め部は、前記下部構造体から下方に窪んで前記凸部が挿入される凹部を有し、前記後向面は、前記凹部の前端部に形成されている
請求項１に記載の椅子。
【請求項５】
前記前向面及び前記後向面は、前後方向に直交する鉛直面内に沿って延在している
請求項１から４のいずれか一項に記載の椅子。
【請求項６】
前記座部側位置決め部及び下部構造体側位置決め部は、それぞれ前後方向において対称形状とされている
請求項１から５のいずれか一項に記載の椅子。
【請求項７】
前記座部の前端部は、前記下部構造体から前方に突出している
請求項１から６のいずれか一項に記載の椅子。
【発明の詳細な説明】
【技術分野】
【０００１】
本発明は、椅子に関する。
【背景技術】
【０００２】
ソファやベンチ等、利用者が着座して利用する椅子は、床等の設置面上に設置される下部構造体と、下部構造体上に設けられた座部と、下部構造体上に設けられ、座部の後方から上方に立ち上がる背凭れ部と、を備えている。
【０００３】
このような椅子において、座部の下方に、各種の物品を収容可能な物品収容部を備えたものがある。例えば、特許文献１には、箱状に形成され、上方開口の物品収容部（収納空間）を備える下部構造体（基台）と、物品収容部の上方開口を閉塞する置き蓋として装着される座部と、を備えるソファが開示されている。
【先行技術文献】
【特許文献】
【０００４】
【特許文献１】実用新案登録第３２１７７４４号公報
【発明の概要】
【発明が解決しようとする課題】
【０００５】
しかしながら、特許文献１に開示されたような構成においては、例えば利用者が座部に浅く座る等して、座部の前端部に荷重が集中すると、座部の前端部と下部構造体との接触部分を中心として、座部の後端部が浮き上がり、物品収容部が開放されてしまう場合がある。このような現象は、特に、座部の前端部が下部構造体よりも前方に張り出している場合に起こりやすい。
このような課題に対し、例えばロック機構やヒンジ機構を備えることが考えられる。ロック機構は、座部が下部構造体の開口を閉塞した状態で、座部を下部構造体にロックする。ヒンジ機構は、座部の後端部を下部構造体に回動自在に連結し、座部の回動に伴い物品収容部を開閉させる。しかし、ロック機構やヒンジ機構を備えると、構造が複雑化し、製品コストの上昇に繋がる。
本発明は、簡易な構成でありながら、物品収容部を塞ぐ座部が不用意に外れてしまうのを抑制することが可能となる椅子を提供することを目的とする。
【課題を解決するための手段】
【０００６】
上記目的を達成するために、本発明の一態様に係る椅子は、設置面上に載置されるとともに、上方に向けて開口する物品収容部を有する下部構造体と、前記下部構造体上に着脱可能に設けられ、前記下部構造体への装着時に前記物品収容部の開口部を閉塞するとともに、上面が着座面とされた座部と、前記下部構造体に支持され、前記座部の後方から上方に向かって立ち上がる背凭れ部と、前記座部に設けられ、前方を向く前向面を有した座部側位置決め部と、前記下部構造体において前記前向面よりも前方に設けられて前記前向面に対向する後向面を有した下部構造体側位置決め部と、前記座部及び前記背凭れ部の少なくとも一方に設けられ、前記下部構造体に対して前記座部を前方に押圧する押圧力を発生させるクッション部と、を備える。
【０００７】
このように、クッション部が発生させる押圧力によって座部が前方に押圧される。これにより、座部側位置決め部に設けられた前向面と、下部構造体側位置決め部に設けられた後向面とが前後方向で近接又は当接する。これによって、下部構造体に対して座部の後端が上方に浮き上がろうとした場合に、前向面と後向面とが接触することで、前向面と後向面との間に摩擦力が生じる。この摩擦力により、座部の後端が上方に浮き上がるのを抑えることができる。このような構成は、前向面と後向面とを前後方向で互いに向き合うように設ければよいので、ロック機構やヒンジ機構を備える構成に比較して簡易な構成となる。したがって、簡易な構成でありながら、物品収容部を塞ぐ座部が不用意に外れてしまうのを抑制することが可能となる。
【０００８】
本発明の一態様に係る椅子において、前記座部側位置決め部は、前記座部の下面で開口する凹部を有し、前記前向面は前記凹部の後端部に形成され、前記下部構造体側位置決め部は、前記下部構造体から上方に突出して前記凹部内に挿入される凸部を有し、前記後向面は、前記凸部の後端に形成されているようにしてもよい。
この構成によれば、座部に設けた凹部に下部構造体に設けた凸部を挿入すれば、前向面と後向面とが前後方向で対向する。また、凹部に凸部が挿入されることで、座部が、前後方向だけでなく幅方向に位置ずれするのを抑えることもできる。これにより、簡易な構成でありながら、物品収容部を塞ぐ座部が不用意に外れてしまうのを抑制することができる。
【０００９】
本発明の一態様に係る椅子において、前記下部構造体側位置決め部は、前記凸部の前端と前記後向面との間に形成され、上方に湾曲して突出する上部湾曲面を備えるようにしてもよい。
この構成によれば、座部を下部構造体に装着する際、凸部に形成された上部湾曲面によって凹部が案内されることで、凹部内に凸部を容易に挿入することができる。これによって、座部を下部構造体に容易に装着することができる。
【００１０】
本発明の一態様に係る椅子において、前記座部側位置決め部は、前記座部の下面から下方に突出する凸部を有し、前記前向面は前記凸部の前端に形成され、前記下部構造体側位置決め部は、前記下部構造体から下方に窪んで前記凸部が挿入される凹部を有し、前記後向面は、前記凹部の前端部に形成されているようにしてもよい。
この構成によれば、座部に設けた凸部を下部構造体に設けた凹部に挿入すれば、前向面と後向面とが前後方向で対向する。これにより、簡易な構成でありながら、物品収容部を塞ぐ座部が不用意に外れてしまうのを抑制することが可能となる。また、座部の下部構造体への着脱も容易に行うことができる。
【００１１】
本発明の一態様に係る椅子において、前記前向面及び前記後向面は、前後方向に直交する鉛直面内に沿って延在しているようにしてもよい。
この構成によれば、前向面と後向面とが鉛直面内に沿って形成されることで、下部構造体に対する座部の前方への移動を、確実に抑えることができる。したがって、座部が不用意に外れるのを、より確実に抑えることができる。また、座部を着脱するために座部を上下させるときに、座部の移動方向に対し、前向面及び後向面が平行であるので、座部の着脱動作が、前向面と後向面との干渉によって妨げられるのを抑えることができる。
【００１２】
本発明の一態様に係る椅子において、前記座部側位置決め部及び下部構造体側位置決め部は、それぞれ前後方向において対称形状とされているようにしてもよい。
この構成によれば、幅方向一方の側と幅方向他方の側とに、座部側位置決め部、下部構造体側位置決め部をそれぞれ設ける場合、座部側位置決め部、下部構造体側位置決め部を、前後で反転させることで、幅方向一方の側と他方の側とで共通部品とすることができる。これにより、椅子としての製造効率の向上や低コスト化を図ることができる。
【００１３】
本発明の一態様に係る椅子において、前記座部の前端部は、前記下部構造体から前方に突出しているようにしてもよい。
この構成によれば、着座面の面積を広く確保できる。また、利用者が座部に浅く着座した場合等においても、座部の前端部に荷重が作用したときの座部の浮き上がりを抑制できる。
【発明の効果】
【００１４】
本発明の一態様によれば、簡易な構成でありながら、物品収容部を塞ぐ座部が不用意に外れてしまうのを抑制することが可能となる。
【図面の簡単な説明】
【００１５】
【図１】本発明の実施形態に係る椅子の全体構成を示す正面図である。
【図２】上記椅子の構成を示す図であり、図１におけるＡ−Ａ矢視断面図である。
【図３】上記椅子に設けられた座部側部材及び下部構造体側部材を示す図であり、図２の要部拡大図である。
【図４】上記椅子に設けられた座部側部材及び下部構造体側部材を示す図であり、図３のＢ−Ｂ矢視断面図である。
【図５】上記座部側部材を示す斜視図である。
【図６】上記下部構造体側部材を示す斜視図である。
【図７】上記椅子に設けられた座部側部材及び下部構造体側部材の変形例を示す図である。
【発明を実施するための形態】
【００１６】
以下、添付図面を参照して、本発明による椅子を実施するための形態を説明する。しかし、本発明はこの実施形態のみに限定されるものではない。
【００１７】
図１は、本発明の実施形態に係る椅子１の全体構成を示す正面図である。図２は、上記椅子１の構成を示す図であり、図１におけるＡ−Ａ矢視断面図である。
図１、図２に示すように、椅子１は、下部構造体２と、座部３と、背凭れ部４と、座部側部材（座部側位置決め部）５と、下部構造体側部材（下部構造体側位置決め部）６と、を備えている。
以下の説明において、椅子１の座部３上に、背凭れ部４に背を向けて着座する利用者から見て前方（図２において紙面左方）と、その反対側の後方（図２おいて紙面右方）とを結ぶ方向を前後方向Ｄａとする。また、設置面に直交する方向を上下方向Ｄｖとし、前後方向Ｄａ及び上下方向Ｄｖに直交する方向を幅方向Ｄｗとする。
【００１８】
下部構造体２は、床等の設置面上に設置される。下部構造体２は、底板２１と、一対の側板２２と、前板２３と、後板２４とを備える。
【００１９】
底板２１は、設置面上に沿って設けられる。底板２１は、例えば平面視長方形状で、その長手方向を椅子１の幅方向Ｄｗに沿わせ、短手方向を前後方向Ｄａに沿わせて設けられている。底板２１の下面の四隅には、床面に接地する接地脚（図示無し）を備えるようにしてもよい。設置脚は、底板２１の下面からの突出寸法を調整できるアジャスター機能を備えることもできる。
【００２０】
一対の側板２２は、底板２１の幅方向Ｄｗ両端部に設けられている。各側板２２は、底板２１の幅方向Ｄｗ両端部から上方に立ち上がり、前後方向Ｄａに連続して設けられている。
【００２１】
前板２３は、底板２１の前端部に設けられている。前板２３は、底板２１の前端部から上方に向かって立ち上がり、幅方向Ｄｗに連続して延びている。前板２３は、幅方向Ｄｗ両端部が一対の側板２２の前端部に接続されている。
【００２２】
後板２４は、底板２１の後端部に設けられている。後板２４は、底板２１の後端部から上方に向かって立ち上がり、幅方向Ｄｗに連続して延びている。後板２４は、幅方向Ｄｗ両端が一対の側板２２の後端部に接続されている。
【００２３】
このようにして、下部構造体２は、上述した底板２１、一対の側板２２、前板２３及び後板２４によって、下方、前後及び左右が囲まれている。これにより、下部構造体２の内側には、上方に向かって開口する開口部２６を有した物品収容部２５が形成されている。なお、底板２１、一対の側板２２、前板２３及び後板２４で囲まれた内側に、箱型の物品収容部２５を別途設けてもよい。
下部構造体２を構成する底板２１、一対の側板２２、前板２３及び後板２４は、木材、金属材、樹脂材等の硬質な材料で形成されている。
【００２４】
座部３は、前端部３ｓが前板２３から突出した状態で、下部構造体２の一対の側板２２及び前板２３上に載置される。座部３は、下部構造体２に対して、固定及び連結されておらず、下部構造体２に対して着脱可能である。座部３は、下部構造体２上に載置した状態（装着状態）で、物品収容部２５の開口部２６を上方から閉塞する。
【００２５】
座部３は、座部本体３１と、座クッション部（クッション部）３２と、座表皮材３３と、を備えている。座部３は、その上面が着座面３ｆを構成している。
【００２６】
座部本体３１は、平面視長方形状の板状（ブロック状）で、その前端部３１ａ（図２参照）、及び幅方向Ｄｗの側端部３１ｓ（図１参照）が、前板２３、及び一対の側板２２上に載置される。本実施形態では、座部３の両側端部も下部構造体２（側板２２）から外側に突出している。
座部本体３１の後端部３１ｄは、後板２４よりも前方に配置されている。また、図２に示すように、座部本体３１の後端部３１ｄの下端３１ｅは、その上部よりも後方に突出している。
座部本体３１は、木材、金属材、樹脂材等の硬質な材料から形成されている。
【００２７】
座クッション部３２は、座部本体３１の上方、前方、及び後方を覆うように設けられている。座クッション部３２は、座部本体３１を形成する硬質な材料よりも軟質で、弾性を有する材料で形成されている。このような座クッション部３２を形成する材料としては、ウレタンフォーム材等が好適である。
【００２８】
座表皮材３３は、座部３の外表面を形成するもので、座クッション部３２の外表面を覆うように設けられている。座表皮材３３は、その外周端部が、タッカー等によって座部本体３１の下面等に固定されている。座表皮材３３は、布材、ビニールレザー材、天然レザー材等から形成されている。
【００２９】
背凭れ部４は、下部構造体２のうち座部３の後方に位置する部分から上方に立ち上がるように設けられている。なお、背凭れ部４は、下部構造体２の後面に固定され、座部３及び下部構造体２の後方から上方に立ち上がるように設けてもよい。
背凭れ部４は、背凭れ部本体４１と、背凭れクッション部（クッション部）４２と、背凭れ表皮材４３と、を備えている。
【００３０】
背凭れ部本体４１は、前後方向Ｄａからみて平面視長方形状の板状（ブロック状）をなしている。背凭れ部本体４１は、木材、金属材、樹脂材等の硬質な材料から形成されている。背凭れ部本体４１の下端部は、下部構造体２の側板２２や後板２４に、連結金具４５を介して連結されている。連結金具４５と背凭れ部本体４１の下端部、連結金具４５と側板２２及び後板２４とは、それぞれボルト締結、溶接、釘等によって接続されている。
【００３１】
背凭れクッション部４２は、背凭れ部本体４１の少なくとも、前方、及び上方を覆うように設けられている。背凭れクッション部４２は、背凭れ部本体４１を形成する硬質な材料よりも軟質で、弾性を有する材料で形成されている。このような背凭れクッション部４２を形成する材料としては、ウレタンフォーム材等が好適である。
【００３２】
背凭れ表皮材４３は、背凭れ部４の外表面を形成する。背凭れ表皮材４３は、背凭れクッション部４２の外表面を覆うように設けられている。背凭れ表皮材４３は、その外周端部が、タッカー等によって背凭れ部本体４１の後面等に固定されている。背凭れ表皮材４３は、布材、ビニールレザー材、天然レザー材等から形成されている。
【００３３】
このような背凭れ部４は、座部３の座クッション部３２の後端部３２ｒに対し、背凭れクッション部４２の下部４２ｂが、前後方向Ｄａで向き合うように設けられている。
【００３４】
座部３を下部構造体２上に載置した状態で、座部３は、後述する凸部６２と凹部５４とが係合することで、前後方向Ｄａの前方への移動が拘束される。また、背凭れ部４は、下部構造体２に固定されている。この状態で、座クッション部３２の後端部３２ｒと、背凭れクッション部４２の下部４２ｂとは、前後方向Ｄａで互いに圧縮されるように形成されている。これにより、座クッション部３２の後端部３２ｒと、背凭れクッション部４２の下部４２ｂとは、それぞれ、前後方向Ｄａで互いに反発しあい、座部３を前後方向Ｄａの前方に押圧する押圧力Ｆ１が発生している。座部本体３１の後端部３１ｄの下端３１ｅは後方に突出しており、この部分において、座クッション部３２の後端部３２ｒは前後方向Ｄａの厚みが小さい。したがって、押圧力Ｆ１は、座部３に効率良く伝達される。
【００３５】
図３は、上記椅子１に設けられた座部側部材５及び下部構造体側部材６を示す図であり、図２の要部拡大図である。図４は、上記椅子１に設けられた座部側部材５及び下部構造体側部材６を示す図であり、図３のＢ−Ｂ矢視断面図である。図５は、上記座部側部材５を示す斜視図である。
図３、図４に示すように、座部側部材５は、上記座部３に設けられている。座部側部材５は、座部３の座部本体３１の下面３１ｂに設けられている。座部側部材５は、座部３の前後方向Ｄａの中間部に設けられている。本実施形態において、座部側部材５は、凹型部材５０からなる。図３〜図５に示すように、凹型部材５０は、開口５３を有する凹部形成部５１と、フランジ部５２と、を備えている。
【００３６】
凹部形成部５１は、座部本体３１の下面３１ｂから上方に窪んで前後方向Ｄａに連続する溝状の凹部５４を形成する。凹部形成部５１は、一対の側壁部５１ａと、前壁部５１ｂと、後壁部５１ｃと、上壁部５１ｄと、を備えている。
【００３７】
一対の側壁部５１ａは、幅方向Ｄｗに所定間隔をあけて設けられている。各側壁部５１ａは、前後方向Ｄａに連続して延びている。図４に示すように、一対の側壁部５１ａにおいて、互いに対向して凹部５４に臨む側壁面５１ｓは、幅方向Ｄｗにおける間隔が、下方から上方に向かって漸次狭くなるように形成されている。
【００３８】
図３、図５に示すように、前壁部５１ｂは、一対の側壁部５１ａの前端部同士を接続する。図３に示すように、前壁部５１ｂは、後方を向いて凹部５４に臨む前端面（前端部）５１ｆを有する。前端面５１ｆは、前後方向Ｄａに直交した鉛直面内に沿って延在する平面状に形成されている。
【００３９】
後壁部５１ｃは、一対の側壁部５１ａの後端部同士を接続する。後壁部５１ｃは、前方を向いて凹部５４に臨む後端面（後端部）５１ｇを有する。後端面５１ｇは、前後方向Ｄａに直交した鉛直面内に沿って延在する平面状に形成されている。後端面５１ｇは、前方を向く前向面５５を形成する。
【００４０】
上壁部５１ｄは、一対の側壁部５１ａ、前壁部５１ｂ、後壁部５１ｃの上方を塞ぐように設けられている。上壁部５１ｄは、座部本体３１の下面３１ｂと平行に形成されている。このような凹部形成部５１は、座部本体３１の下面３１ｂから上方に窪むように形成された収容凹部３８に挿入されている。
【００４１】
図３、図４に示すように、上壁部５１ｄには、開口５３が形成されている。開口５３は、上壁部５１ｄを上下に貫通して形成されている。開口５３は、前後方向Ｄａに延びるスリット状に形成されている。収容凹部３８は、上壁部５１ｄよりも上方位置まで窪んで形成されている。これにより、開口５３（上壁部５１ｄ）の上方には、空間部５６が形成されている。
【００４２】
フランジ部５２は、凹部形成部５１の下端から前後方向Ｄａ及び幅方向Ｄｗの外側に延びるように設けられている。フランジ部５２は、座部本体３１の下面３１ｂのうち、収容凹部３８の周囲に位置する部分において、座部本体３１の下面３１ｂに下方から突き当たっている。フランジ部５２には、複数の挿通穴５２ｈが形成されている。フランジ部５２は、各挿通穴５２ｈに挿通したビス（不図示）を座部本体３１に下方から締結することで、座部本体３１に固定されている。
【００４３】
このような凹型部材５０は、樹脂材、金属材等によって一体成形することができる。
図３に示すように、凹型部材５０は、座部３に取り付けた状態で、前後方向Ｄａで対称形状（前後方向Ｄａの中心を通り前後方向Ｄａに直交する対称面に対して面対称）とされている。これにより、座部３の幅方向Ｄｗ一方の側と、他方の側とで、同一部品である凹型部材５０を、向きを変えるのみで用いることができる。
【００４４】
図１、図２に示すように、下部構造体側部材６は、下部構造体２に設けられている。下部構造体側部材６は、下部構造体２の幅方向Ｄｗの両側に設けられている。下部構造体側部材６は、一対の側板２２のそれぞれにおいて、前後方向Ｄａの中間部に設けられている。下部構造体側部材６は、座部３を下部構造体２上の所定位置に載置したときに、座部３に設けられた座部側部材５と上下方向Ｄｖで対向する位置に設けられている。図４に示すように、下部構造体２に設けられた下部構造体側部材６は、一対の側板２２のそれぞれにおいて幅方向Ｄｗの内側（物品収容部２５側）を向く内側面２２ｆに設けられている。
【００４５】
図６は、下部構造体側部材６を示す斜視図である。
図３、図４、図６に示すように、本実施形態において、下部構造体側部材６は、凸型部材６０からなる。凸型部材６０は、基部６１と、凸部６２と、を一体に備えている。
【００４６】
基部６１は、側板２２の内側面２２ｆに沿うよう設けられている。基部６１は、側板２２の内側面２２ｆに沿って延びる厚板状で、内側面２２ｆに直交する幅方向Ｄｗに所定の厚さを有している。基部６１の上端面６１ｔは、側板２２の上端２２ｔよりも下方に位置するよう設けられている。上端面６１ｔは、水平面内に位置し、前後方向Ｄａに帯状に延びている。
【００４７】
凸部６２は、基部６１において、側板２２の内側面２２ｆとは反対側の端部、つまり幅方向Ｄｗの内側端部に設けられている。凸部６２は、基部６１と一体に形成されている。凸部６２は、基部６１の上端面６１ｔから上方に向かって突出するよう形成されている。凸部６２は、側板２２の上端２２ｔよりも上方に突出している。凸部６２は、側板２２の内側面２２ｆと平行な面内に形成されている。凸部６２は、板状で、幅方向Ｄｗに所定の厚さを有して形成されている。凸部６２は、凸部前端面（前端）６２ｆと、凸部後端面（後端）６２ｒと、上部湾曲面６６と、を有している。
【００４８】
凸部前端面６２ｆは、凸部６２の前端に形成されている。凸部前端面６２ｆは、前方を向いている。凸部前端面６２ｆは、前後方向Ｄａに直交した鉛直面内に沿って延在する平面状に形成されている。
【００４９】
凸部後端面６２ｒは、凸部６２の後端に形成されている。凸部後端面６２ｒは、後方を向いている。凸部後端面６２ｒは、前後方向Ｄａに直交した鉛直面内に沿って延在する平面状に形成されている。この凸部後端面６２ｒは、座部３を下部構造体２上の所定位置に装着した状態で、下部構造体２において前向面５５よりも前方に設けられている。凸部後端面６２ｒは、前向面５５に対して前後方向Ｄａで対向する後向面６５を形成する。
【００５０】
上部湾曲面６６は、凸部前端面６２ｆと凸部後端面６２ｒとの間に形成されている。上部湾曲面６６は、上方に向かって凸となる円弧状に湾曲して形成されている。
このような凸型部材６０は、樹脂材、金属材等によって一体成形することができる。
【００５１】
凸型部材６０には、幅方向Ｄｗに貫通するボルト挿通孔６８（図３参照）が複数形成されている。凸型部材６０は、ボルト挿通孔６８にボルト（図示無し）を挿通させ、側板２２に締結することで、下部構造体２に固定されている。このような凸型部材６０は、凸部６２が基部６１の上端面６１ｔ及び側板２２の上端２２ｔよりも上方に突出して設けられている。
【００５２】
このような凸型部材６０は、樹脂材、金属材等によって一体成形することができる。
また、凸型部材６０は、下部構造体２に取り付けた状態で、前後方向Ｄａで対称形状とされている。これにより、幅方向Ｄｗ一方の側の側板２２と、他方の側の側板２２とで、同一部品である凸型部材６０を、向きを変えるのみで用いることができる。
【００５３】
図２に示すように、凹型部材５０（座部側部材５）を備えた座部３は、開口部２６を塞ぐように下部構造体２上に載置される。図３、図４に示すように、座部３を下部構造体２上に載せるときには、座部３に形成された凹部５４に、下部構造体２に設けられた凸部６２を挿入する。このとき、座部３の後端３ｒを背凭れ部４に押し付け、座クッション部３２の後端部３２ｒと背凭れクッション部４２の下部４２ｂとを前後方向Ｄａで圧縮させながら、凹部５４に凸部６２を挿入させる。座部３を下降させて下部構造体２上に載せる際に、凹部５４の前後に位置する前壁部５１ｂや後壁部５１ｃが、凸部６２の上面に突き当たる場合がある。その場合、凸部６２の上面には、上部湾曲面６６が形成されているので、前壁部５１ｂや後壁部５１ｃを上部湾曲面６６に沿わせながら座部３を前後方向Ｄａに移動させることで、凹部５４内に凸部６２が容易に案内される。
【００５４】
このようにして、座部３の座部本体３１の下面３１ｂが、下部構造体２上に載置される。この状態で、座部３の幅方向Ｄｗの両側に設けられた凹型部材５０（座部側部材５）の凹部５４内には、それぞれ、下部構造体２に設けられた凸型部材６０（下部構造体側部材６）の凸部６２が挿入される。座部本体３１の下面３１ｂから下方に突出している凹型部材５０のフランジ部５２は、側板２２の上端２２ｔよりも下方に位置する基部６１の上端面６１ｔの上方空間に挿入される。また、凸部６２の上端部は、凹型部材５０の上壁部５１ｄに形成された開口５３を通して、開口５３（上壁部５１ｄ）の上方の空間部５６内に位置している。なお、下部構造体２から座部３を取り外す際は、例えば前端部３ｓを把持し、座部３を後方に押し付けた状態で座部３を持ち上げる。すると、座部３は、凸部６２と凹部５４との係合が解除され、後端３ｒを起点にして上方に回動する。これにより、物品収容部２５が開放され、開口部２６を通じて物品収容部２５の内外で物品を出し入れできる。なお、下部構造体２から取り外された座部３は、例えば背凭れ部４に立てかける等して保持することができる。
【００５５】
図３に示すように、凹部５４内に凸部６２が挿入された状態で、凹部５４の前向面５５（後端面５１ｇ）と凸部６２の後向面６５（凸部後端面６２ｒ）とは、前後方向Ｄａにおいて対向している。これにより、座部３は、前後方向Ｄａ前方への移動が拘束された状態となる。この状態で、図２に示すように、座クッション部３２の後端部３２ｒと、背凭れクッション部４２の下部４２ｂとは、互いに圧縮された状態で対向し、その反発力（押圧力Ｆ１）によって、座部３が前方に押圧されている。これにより、図３に示すように、凹部５４の前向面５５は、凸部６２の後向面６５に対し、前方に押圧されることで、後向面６５に後方から近接又は当接している。
【００５６】
図２に示すように、座部３が下部構造体２の開口部２６を塞ぐように設けられた状態で、例えば利用者が座部３に浅く着座すると、座部３において下部構造体２（前板２３）よりも前方に張り出した前端部３ｓ周辺に、上方から荷重Ｐ１が作用する。すると、座部３は、下部構造体２の前端と座部３とが接触する部分Ｑを中心として、座部３の後端３ｒが上方に浮き上がろうとする。しかし、座部３は、座クッション部３２の後端部３２ｒと背凭れクッション部４２の下部４２ｂとの間で生じる押圧力Ｆ１によって前方に押圧されている。これにより、凹部５４の前向面５５が凸部６２の後向面６５に近接又は当接している。そのため、座部３の後端３ｒが上方に浮き上がろうとした場合に、前向面５５と後向面６５とが接触することで、前向面５５と後向面６５との間には摩擦力が発生する。この摩擦力により、座部３の後端３ｒが上方に浮き上がるのを抑えることができる。なお、凹部５４の前向面５５と凸部６２の後向面６５とが近接している状態とは、部分Ｑを支点とした座部３の回動時において、前向面５５の下端の回動軌跡上に後向面６５の上端が位置する距離であることが好ましい。
【００５７】
また、座部３に対して前方に向かう方向の外力が作用した場合には、凹部５４の前向面５５が凸部６２の後向面６５に突き当たることで、座部３が前方にずれることが抑えられている。
【００５８】
また、座部３に対して後方に向かう方向の外力が作用した場合には、座クッション部３２の後端部３２ｒと、背凭れクッション部４２の下部４２ｂとが互いに突き当たっているのに加え、凹部５４の前端面５１ｆが凸部６２の凸部前端面６２ｆに突き当たることで、座部３が後方にずれるのを抑えることができる。
【００５９】
また、本実施形態では、凸部６２が凹部５４内に挿入された状態において、凸部６２における幅方向Ｄｗを向く面は、側壁部５１ａの側壁面５１ｓが幅方向Ｄｗで近接又は当接している。この状態において、座部３に、幅方向Ｄｗのいずれか一方に向かう方向の外力が作用した場合、凹部形成部５１の側壁部５１ａが凸部６２に突き当たることで、座部３が幅方向Ｄｗにずれるのを抑えることができる。この場合、座クッション部３２の後端部３２ｒと、背凭れクッション部４２の下部４２ｂとが互いに圧縮した状態で押圧されているので、座クッション部３２と背凭れクッション部４２との間にも幅方向Ｄｗの摩擦力が生じており、これによっても、座部３が幅方向Ｄｗにずれるのを抑えることができる。
【００６０】
このように、本本実施形態の椅子１は、設置面上に載置されるとともに、上方に向かって開口する物品収容部２５を有する下部構造体２と、下部構造体２に設けられ、下部構造体２上に着脱可能に設けられ、下部構造体２への装着時に物品収容部２５の開口部２６を閉塞するとともに、上面が着座面３ｆとされた座部３と、下部構造体２に支持され、座部３の後方から上方に向かって立ち上がる背凭れ部４と、座部３に設けられ、前方を向く前向面５５を有した座部側部材５（凹型部材５０）と、下部構造体２において前向面５５よりも前方に設けられて前向面５５に対向する後向面６５を有した下部構造体側部材６（凸型部材６０）と、座部３及び背凭れ部４に設けられ、下部構造体２に対して座部３を前方に押圧する押圧力Ｆ１を発生する座クッション部３２及び背凭れクッション部４２と、を備える構成とした。
このような構成によれば、座クッション部３２と背凭れクッション部４２との間に発生する押圧力Ｆ１によって、座部３が前方に押圧され、前向面５５と後向面６５とが前後方向Ｄａで互いに近接又は当接する。これによって、下部構造体２に対して座部３が上方に浮き上がろうとした場合に、前向面５５と後向面６５とが接触することで、前向面５５と後向面６５との間に摩擦力が生じる。この摩擦力により、座部３の後端３ｒが上方に浮き上がるのを抑えることができる。
このような構成は、前向面５５と後向面６５とを前後方向Ｄａで互いに向き合うように設ければよいので、ロック機構やヒンジ機構を備える構成に比較して、簡易な構成となる。したがって、簡易な構成でありながら、物品収容部２５を塞ぐ座部３が不用意に外れてしまうのを抑制することが可能となる。
【００６１】
本実施形態において、座部側部材５は、座部３の下面で開口する凹部５４を有した凹型部材５０であり、前向面５５は凹部５４の後端部に形成され、下部構造体側部材６は、下部構造体２から上方に突出して凹部５４内に挿入される凸部６２を有した凸型部材６０であり、後向面６５は、凸部６２の後端に形成されている構成とした。
このような構成によれば、座部３に設けた凹部５４に、下部構造体２に設けた凸部６２を挿入すれば、前向面５５と後向面６５とが前後方向Ｄａで対向する。また、凹部５４に凸部６２が挿入されることで、座部３が、前後方向Ｄａだけでなく幅方向Ｄｗに位置ずれするのを抑えることもできる。これにより、簡易な構成でありながら、物品収容部２５を塞ぐ座部３が不用意に外れてしまうのを抑制することが可能となる。また、座部３の下部構造体２への着脱も容易に行うことができる。
【００６２】
本実施形態において、下部構造体側部材６は、凸部６２の凸部前端面６２ｆと後向面６５との間に形成され、上方に湾曲して突出する上部湾曲面６６と、を備える構成とした。
このような構成によれば、座部３を下部構造体２に装着する際、凸部６２に形成された上部湾曲面６６によって凹部５４が案内されるので、凹部５４に凸部６２を容易かつ確実に挿入することができる。したがって、座部３を下部構造体２に容易に装着することができる。
【００６３】
本実施形態において、前向面５５及び後向面６５は、前後方向Ｄａに直交する鉛直面内に沿って形成されている構成とした。
このような構成によれば、前向面５５と後向面６５とが鉛直面内に位置するように形成されることで、下部構造体２に対する座部３の前方への移動を確実に抑えることができる。したがって、座部３が不用意に外れるのを、より確実に抑えることができる。また、前向面５５及び後向面６５が平行であるので、座部３を着脱するために座部３を上下させるときに、前向面５５が座部３の移動方向に延びる後向面６５に沿って移動する。これにより、座部３の着脱が前向面５５と後向面６５との干渉によって妨げられるのを抑えることができる。
【００６４】
本実施形態において、座部側部材５（凹型部材５０）及び下部構造体側部材６（凸型部材６０）は、それぞれ前後方向Ｄａにおいて対称形状とされている構成とした。
このような構成によれば、座部３及び下部構造体２において、幅方向Ｄｗ一方の側と、幅方向Ｄｗ他方の側とに、それぞれ座部側部材５、下部構造体側部材６を設ける構成において、座部側部材５、下部構造体側部材６を、前後で反転させることで、幅方向Ｄｗ一方の側と他方の側とで共通部品とすることができる。これにより、椅子１としての製造効率の向上や低コスト化を図ることができる。
【００６５】
本実施形態では、座部３の前端部３ｓが下部構造体２から前方に突出している構成とした。
この構成によれば、着座面３ｆの面積を広く確保できる。また、利用者が座部３に浅く着座した場合等においても、前端部３ｓに荷重Ｐ１が作用したときの座部３の浮き上がりを抑制できる。
【００６６】
（実施形態の変形例）
上記実施形態では、座部３に凹部５４を備えた凹型部材５０を設け、下部構造体２側に凸部６２を備えた凸型部材６０を設けるようにしたが、これに限らない。
例えば、図７に示すように、座部３に、座部側部材（座部側位置決め部）５Ｂとして、上記凸部６２を備えた凸型部材６０を設け、下部構造体２に、下部構造体側部材（下部構造体側位置決め部）６Ｂとして、上記凹部５４を備えた凹型部材５０を備えるようにしてもよい。
【００６７】
この場合、座部側部材５Ｂを構成する凸型部材６０の凸部前端面（前端）６２ｆが、前方を向く前向面５５Ｂとなる。また、下部構造体側部材６Ｂを構成する凹型部材５０の前端面（前端部）５１ｆが、下部構造体２において前向面５５Ｂよりも前方に設けられて前向面５５Ｂに対向する後向面６５Ｂとなる。
【００６８】
このような構成においても、座クッション部３２及び背凭れクッション部４２の間に発生する押圧力Ｆ１によって、座部３が前方に押圧され、座部側部材５Ｂ（凸型部材６０）に設けられた前向面５５Ｂと、下部構造体側部材６Ｂ（凹型部材５０）に設けられた後向面６５Ｂとが前後方向Ｄａで互いに突き当たる。これによって、前向面５５Ｂと後向面６５Ｂとが互いに突き当たった状態で生じる摩擦力により、下部構造体２に対して座部３が上方に浮き上がるのを抑えることができる。したがって、簡易な構成でありながら、物品収容部２５を塞ぐ座部３が不用意に外れてしまうのを抑制することが可能となる。
【００６９】
（その他の実施形態）
以上、本発明の好ましい実施例を説明したが、本発明はこれら実施例に限定されることはない。本発明の趣旨を逸脱しない範囲で、構成の付加、省略、置換、及びその他の変更が可能である。本発明は上述した説明によって限定されることはなく、添付の特許請求の範囲によってのみ限定される。
例えば、上述した実施形態では、座部３の座クッション部３２と背凭れ部４の背凭れクッション部４２とで、座部３を前方に押圧する押圧力Ｆ１を発生するようにしたが、これに限らない。例えば、背凭れ部４において、座クッション部３２と対向する部分を板材等の硬質な材料から形成し、座クッション部３２のみによって、座部３を前方に押圧する押圧力Ｆ１を発生させるようにしてもよい。また、座部３において、背凭れ部４の背凭れクッション部４２と対向する部分を板材などの硬質な材料から形成し、背凭れクッション部４２のみによって、座部３を前方に押圧する押圧力Ｆ１を発生させるようにしてもよい。
さらに、座部３に座クッション部３２を備え、背凭れ部４に背凭れクッション部４２を備える場合、座クッション部３２と背凭れクッション部４２とで、弾性係数が互いに異なるようにしてもよい。
【００７０】
上述した実施形態では、下部構造体側部材６は、上部湾曲面６６を備える構成としたが、これに限らない。上部湾曲面６６に代えて、前後方向Ｄａにおいて、凸部６２の凸部前端面６２ｆ、凸部後端面６２ｒ側に向かって漸次下方に傾斜する傾斜面を形成してもよい。さらに、上部湾曲面６６や傾斜面を備えず、凸部６２の上端面を平坦面としてもよい。
【００７１】
上述した実施形態では、前向面５５及び後向面６５は、前後方向Ｄａに直交する鉛直面内に沿って形成されている構成としたが、これに限らない。例えば、前向面５５及び後向面６５を、上方に向かって後方に傾斜するよう形成してもよい。これにより、座部３の後端部が、より一層浮き上がり難くなる。
一方、前向面５５及び後向面６５を上方に向かうに従い前方に傾斜させることで、座部３の装着性の向上を図ることができる。
【００７２】
上述した実施形態では、凹型部材５０及び凸型部材６０は、それぞれ前後方向Ｄａにおいて対称形状としたが、これに限らない。座部側部材５及び下部構造体側部材６は、非対称形状としてもよい。例えば、凸型部材６０は、鉛直面内に沿って形成された後向面６５と、後向面６５の上端縁から前方に向かうに従い下方に湾曲しながら延びる湾曲面と、を有する１／４円形状に形成してもよい。
さらに、座部側部材５及び下部構造体側部材６を非対称形状とする場合、前向面５５を形成する前壁部５１ｂ、及び後向面６５を形成する凸部後端面６２ｒとを備えていれば、他の部分の形状はいかなるものとしても良い。
【００７３】
上述した実施形態では、座部側部材５として、座部３の座部本体３１に凹型部材５０を取り付け、下部構造体２に凸型部材６０を設けるようにしたが、これに限らない。前向面５５や、後向面６５は、座部３や下部構造体２の一部に直接形成してもよい。
その他、本発明の趣旨を逸脱しない範囲で、上述した実施形態における構成要素を周知の構成要素に置き換えることは適宜可能であり、また、上述した各変形例を適宜組み合わせてもよい。
【符号の説明】
【００７４】
１  椅子
２  下部構造体
３  座部
３ｆ  着座面
４  背凭れ部
５，５Ｂ  座部側部材（座部側位置決め部）
６，６Ｂ  下部構造体側部材（下部構造体側位置決め部）
２５  物品収容部
２６  開口部
３２  座クッション部（クッション部）
４２  背凭れクッション部（クッション部）
５１ｆ  前端面（前端部）
５１ｇ  後端面（後端部）
５４  凹部
５５、５５Ｂ  前向面
６２  凸部
６２ｆ  凸部前端面（前端）
６２ｒ  凸部後端面（後端）
６５，６５Ｂ  後向面
６６  上部湾曲面
Ｆ１  押圧力
【図１】
2020065876.tif 000003
【図２】
2020065876.tif 000004
【図３】
2020065876.tif 000005
【図４】
2020065876.tif 000006
【図５】
2020065876.tif 000007
【図６】
2020065876.tif 000008
【図７】
2020065876.tif 000009